(57)【特許請求の範囲】
【請求項１】
非接触で外部装置とデータの送受信を行う、少なくとも、ラベル基材上に、ＯＶＤ層を配置し、次にＲＦＩＤ用のＩＣチップと該ＩＣチップと電気的に接続されたアンテナとを配置し、さらにＲＦＩＤラベルを被着体に貼り付けるための接着層を配置して成るＲＦＩＤラベルにおいて、
該ＯＶＤ層が、導電性を示さない光学的な効果を呈する機能を有し、隠蔽層が該ＯＶＤ層の上、および／または、該ＯＶＤ層のないラベル基材の上、に配置され、かつ前記ＩＣチップと前記アンテナとが、該隠蔽層の上に配置され、
接着層下には柔軟性を有する高分子材料からなる変形層を介在させてＯＶＤ層が積層され、
ラベル基材とＯＶＤ層の間に剥離層が形成され、該剥離層はＩＣチップとアンテナ周辺にパターン状に部分的に形成され、
ラベル全層または一部の層に切り込みを有し、
接着層の被着体に対する接着強度がラベル基材と剥離層部分との層間接着強度より大きく、
かつ接着層の被着体に対する接着強度がＯＶＤ層、隠蔽層、アンテナ、変形層、接着層の各々の破断強度よりも小さくなるように設定され、
前記変形層は、破断伸度が１００％以上の高分子材料からなることを特徴とするＲＦＩＤラベル。
【請求項２】
前記剥離層がパターン状に形成される代わりにラベル基材とＯＶＤ層間に接着層がパターン状に形成されたことを特徴とする請求項１に記載のＲＦＩＤラベル。
【請求項３】
アンテナが導電性インキで設けられ、かつ前記アンテナが前記隠蔽層の上に直接配置されたことを特徴とする請求項１または２に記載のＲＦＩＤラベル。
【請求項４】
光学的な効果が、可視光領域で発現することを特徴とする請求項１〜３のいずれか一項に記載のＲＦＩＤラベル。
【発明の詳細な説明】
【技術分野】
【０００１】
本発明は、光学的な効果を呈するＯＶＤの機能を備え、かつ非接触で外部装置との間でデータの受信および／または送信を行うことができるＲＦＩＤタグの機能を有するＲＦＩＤラベルであって、被着体から剥がした際にＯＶＤ機能、ＲＦＩＤタグ機能ともに復元不可能な状態まで破壊して、その痕跡を視覚的にも電気的にも確認できるとともに、使い回しが不可能なことを特徴とするＲＦＩＤラベルに関する。
【背景技術】
【０００２】
小売店やレンタル店での商品の管理において、ＲＦＩＤ用のＩＣチップとアンテナを備えたＲＦＩＤタグが利用されている。ＲＦＩＤは、Radio Frequency IDentificationの略であり、高周波を用いてＲＦＩＤ用のＩＣチップの固有の情報のデータの授受を非接触で行うことを可能とする方式の総称である。ＲＦＩＤタグに組み込まれているＩＣチップには、各々のＲＦＩＤタグを区別するための固有の情報であるＩＤ情報が書き込まれている。該ＩＣチップは、場合によっては、該ＩＤ情報の入ったメモリー領域とは別の汎用メモリー領域をもち、商品に関連した情報などを読み書きすることができるタイプもある。ＩＣチップのＩＤ情報の読み込みや、前記汎用メモリー領域の情報の読み込みや書き込みは、電磁界や電波などを用いた近距離の無線通信によって、専用のデータ読み書き装置（以下、ＲＷ（ＲＷ＝Reader Writerの略）と記載する）により、非接触で行うことができる。
【０００３】
たとえば、前記ＲＦＩＤタグを商品に取り付け、ＲＷにより前記ＩＤ情報を読み込むことで、該ＲＷをコンピュータシステムと組み合わせて、商品の出入庫管理、在庫管理、貸し出し管理等に応用することができる。さらに、前記汎用メモリー領域に、商品コードや、入荷日、担当者などの商品に関連する情報をＲＷで書き込めば、該情報を別のコンピュータシステムに接続されたＲＷで読み込むことで、商品の情報をコンピュータシステム間で伝達することも可能となる。
【０００４】
以下では、ＲＦＩＤタグに接着層などを組み込み、商品等に貼り付け、ラベルとして用いることのできるＲＦＩＤタグをＲＦＩＤラベルとする。
【０００５】
このＲＦＩＤタグの普及とともに、ＲＦＩＤタグにＯＶＤ（ Ｏｐｔｉｃａｌ Ｖａｒｉａｂｌｅ  Ｄｅｖｉｃｅ）機能を付加したＯＶＤ一体型ＲＦＩＤタグの実用化が期待されている。
【０００６】
ＯＶＤとは、見る角度、または、測定する角度によって色の変化や画像の変化のような光学的な効果を発現させることのできる手段の総称である。この光学的な効果を発現させるために、ＯＶＤは、必要な効果に応じて、ホログラムなどの光の干渉を用いて立体画像や特殊な装飾画像を表現できる層や、回折格子から成る層や、光学特性の異なる薄膜層などを適宜選択して組み合わせて成る多層薄膜構造をとることが多い。
【０００７】
このＯＶＤは立体画像や色の変化といった独特な効果を与えることができるため、優れた装飾効果を発揮でき、各種包装材や絵本、カタログ等の一般的な印刷物に利用されている。さらに、ＯＶＤは高度な製造技術を要することから偽造防止手段としてクレジットカード、有価証券、証明書類等に適用されている。
【０００８】
また、ＯＶＤに光学的読み取り装置で読み取り可能な光学情報としてコード化された商品情報を記録しておくことも可能である。これにより、たとえば、ＯＶＤを更に高度な偽
造防止媒体として利用することができる。
【０００９】
前記のような特徴をもつＯＶＤをＲＦＩＤタグと一体化することにより、次に示すような利点が想定される。
【００１０】
例えば、これまで、ＲＦＩＤタグとＯＶＤが別々に商品等に取り付けられていた場合には、ＲＦＩＤタグとＯＶＤとを一体化して、商品等に一括で取り付けることが可能になり、総合的なコストダウンができる。
【００１１】
さらに、ＯＶＤは、様々なデザインが可能であり、該ＯＶＤとＲＦＩＤタグとを一体化した場合に、ＲＦＩＤタグに、該ＯＶＤにより、意匠性や高級感、偽造防止機能などを持たせることができる。
【００１２】
偽造防止機能の例としては、たとえば、ＯＶＤとＲＦＩＤタグを一体化させる事により、ＲＦＩＤタグのＲＷによる情報と目視を含む光学的読み取りからの情報のいずれかを用いたＲＦＩＤタグの真偽判定が可能となる。従って、ＲＦＩＤ用のＲＷがない場合でも、目視などの光学的読み取り手段によりＲＦＩＤタグの真偽判定が可能となる。すなわち、なんらかの理由で高周波を使った情報の読み取りが困難な場合に、光学的読み取り手段により読み取ることもできる。従って、低コストで、ＲＦＩＤタグの真偽判定の市場適用範囲を広げることができる。
【００１３】
また、更に高度な偽造防止媒体として利用する場合は、ＯＶＤに光学情報としてコード化された商品情報を記録しておき、該光学情報を光学的読み取り装置で読み取り、ＲＷで読み込んだＲＦＩＤ用のＩＣチップの商品情報と比較する事ができる。これにより、たとえば、ＯＶＤもしくは該ＩＣチップのどちらかが偽造された際に真偽判定を行うことも可能となる（特許文献１）。
【００１４】
このように、様々なメリットを有するため、ＲＦＩＤタグにＯＶＤを組み合わせ、一体化したＯＶＤ一体型のＲＦＩＤラベルがすでに考案されている。
【００１５】
しかしながら、上記のようなラベルは、正規物品に貼り付けられていたものを綺麗に剥がすことが可能であり、いわゆる“使いまわし”ができるため、たとえば、該商品の偽造品に本物の商品から剥がした該ＯＶＤ一体型のＲＦＩＤラベルが転用できるという偽造防止上の大きな問題があった（特許文献２）。また、一部に脆い材料からなる脆質層を設けてパターンで破壊するようなラベルも提案されている（特許文献３）が、再度、綺麗に貼り合せると見た目には分からない、また通信もできてしまうという問題があった。
【先行技術文献】
【特許文献】
【００１６】
【特許文献１】特開２００４−２２７４３５号公報
【特許文献２】特許第３８５４１２４号公報
【特許文献３】特開２０１０−５５４６７号公報
【発明の概要】
【発明が解決しようとする課題】
【００１７】
本発明は、以上の事情を鑑みてなされたものであり、悪意にＲＦＩＤラベルを被着体から剥がそうとした際に、ＯＶＤ機能とＲＦＩＤタグ機能の両方を復元不可能な状態まで破壊して、その痕跡を視覚的にも電気的にも確実に残すとともに再使用することができないようなＲＦＩＤラベルを提供することにある。
【課題を解決するための手段】
【００１８】
上記課題を解決するための請求項１に記載の発明は、非接触で外部装置とデータの送受信を行う、少なくとも、ラベル基材上に、ＯＶＤ層を配置し、次にＲＦＩＤ用のＩＣチップと該ＩＣチップと電気的に接続されたアンテナとを配置し、さらにＲＦＩＤラベルを被着体に貼り付けるための接着層を配置して成るＲＦＩＤラベルにおいて、該ＯＶＤ層が、導電性を示さない光学的な効果を呈する機能を有し、隠蔽層が該ＯＶＤ層の上、および／または、該ＯＶＤ層のないラベル基材の上、に配置され、かつ前記ＩＣチップと前記アンテナとが、該隠蔽層の上に配置され、接着層下には柔軟性を有する高分子材料からなる変形層を介在させてＯＶＤ層が積層され、ラベル基材とＯＶＤ層の間に剥離層が形成され、該剥離層はＩＣチップとアンテナ周辺にパターン状に部分的に形成され、ラベル全層または一部の層に切り込みを有し、接着層の被着体に対する接着強度がラベル基材と剥離層部分との層間接着強度より大きく、かつ接着層の被着体に対する接着強度がＯＶＤ層、隠蔽層、アンテナ、変形層、接着層の各々の破断強度よりも小さくなるように設定され、前記変形層は、破断伸度が１００％以上の高分子材料からなることを特徴とするＲＦＩＤラベルである。
【００２１】
上記課題を解決するための請求項２に記載の発明は、前記剥離層がパターン状に形成される代わりにラベル基材とＯＶＤ層間に接着層がパターン状に形成されたことを特徴とする請求項１に記載のＲＦＩＤラベルである。
【００２２】
上記課題を解決するための請求項３に記載の発明は、アンテナが導電性インキで設けられ、かつ前記アンテナが前記隠蔽層の上に直接配置されたことを特徴とする請求項１または２に記載のＲＦＩＤラベルである。
【００２３】
上記課題を解決するための請求項４に記載の発明は、光学的な効果が、可視光領域で発現することを特徴とする請求項１〜３のいずれか一項に記載のＲＦＩＤラベルである。
【発明の効果】
【００２４】
本発明によるＲＦＩＤラベルによって、前記ＲＦＩＤラベルを被着体から剥がす際に、前記ＯＶＤ層とラベル基材の間で剥離が生ずると同時に、変形層が伸びて変形するため、それに伴ってＯＶＤ層が復元不可能な状態に変形してしまう。これにより、ＯＶＤ層が復元不可能な状態に変形してしまうため、目視でその痕跡を確認することができる。それと同時に、ＯＶＤ層と積層しているアンテナも復元不可能な状態に破断・変形してしまうためＲＦＩＤラベルの情報を取り出すことをできなくすることができる。
【図面の簡単な説明】
【００２５】
【図１】本発明の光学機能付きＲＦＩＤラベルの一例を示す断面説明図で、（ａ）はラベル状態、（ｂ）は被着体から剥がした状態
【図２】本発明の光学機能付きＲＦＩＤラベルの一例を説明するための平面説明図
【図３】本発明の光学機能付きＲＦＩＤラベルの他の例を示す断面説明図で、（ａ）はラベル状態、（ｂ）は被着体から剥がした状態
【発明を実施するための形態】
【００２６】
以下に、本発明によるＲＦＩＤラベルについて図を用いてその実施の形態の一例を説明するが、本発明はこれに限定されるものではない。
【００２７】
図１（a）に、本発明によるＲＦＩＤラベル１の断面図の一例を示す。ラベル基材６の上に剥離層１１を複数、同じパターン状に配置し、その上にＯＶＤ層２、隠蔽層９を設ける。さらにその上にアンテナ３を配置し、該アンテナ３の上にＩＣチップ４を設ける。ここで、該アンテナ３は、該ＩＣチップ４の電極部に接合されている。このような構成の層の上に変形層１０が構成され、さらに接着層７、離型シート８を配置する。
【００２８】
アンテナ３の配線パターンは、例えば図２のようにメアンダ状に形成されている。この配線パターンは、前記ＩＣチップの端子に対応して、必要に応じてデザインし配置してよいが、後述するように被着体からラベルを剥がそうとした際に、アンテナが断線しやすいように複雑な形状が好ましい。
【００２９】
このようなアンテナ３を具備するＲＦＩＤタグは、図示しない情報読取装置からの電波をこのアンテナによって受け、その長手方向に生じる電位差をＩＣチップに供給するようになっている。
【００３０】
ＩＣチップ４は、例えば、正方形状に形成されており、その辺部の長さ寸法が０．４ｍｍ程度、高さ寸法が０．１ｍｍ程度のものである。なお、辺部の長さ寸法は、これらに限定されるものではなく、適宜なものに設定可能である。
【００３１】
アンテナに電波が照射され、このＩＣチップに電力が供給されると、ＩＣチップは稼動状態となり、情報読取装置からの電波に重畳されて送られてくるタイミング信号やコマンドに合わせて、そこに記憶されている情報を情報読取装置に返送する。そして、情報読取装置はこの再放射の強度を測定することで、ＩＣチップに格納されている情報を読み出す。
【００３２】
ＲＷとＲＦＩＤラベルとの交信に使用する周波数は２．４５ＧＨｚ帯（２．４００〜２．４８２ＭＨｚ）および／または９００ＭＨｚ帯（８５０〜９５０ＭＨｚ）が望ましいが、本発明はこれに限定されるわけではない。
【００３３】
ラベル基材６としては、絶縁性材料であれば特に限定されるものではなく、例えばＰＥＴ、ＰＶＣ、ＡＢＳ、紙等を用いることができるが、本発明はこれに限定されるわけではない。
【００３４】
（剥離層１１）
剥離層１１はラベル基材６に部分的に設けられることが好ましい。用いる材料としては、容易にラベル基材からはがれるものが使用され、基材に使用される材料に基づいて適宜選択される。
【００３５】
剥離層１１はパターン状で部分的に配置するほうが、全面に設けるよりも好ましい。該剥離層１１をパターン状に配置することにより、面内で剥離強度の差ができるために、被着体に貼り付けた後に剥がそうとすると、図１（ｂ）のように剥離層１１のパターンに沿ってＯＶＤ層が破壊すると同時にアンテナ３を断線させることが期待できるためである。この場合は、特に、ＩＣチップ４やアンテナ３の周辺に設けることで、ＲＦＩＤラベルを離型シートから剥がす際は壊れることなく、被着体に貼り付けた後に剥がそうとした場合にのみアンテナ３を断線させることができ、通信機能を不能にすることができる。またさらに、レーザー等でラベル全層もしくは一部の層をカットして切り込みを設けることにより、より、RFIDラベルの破断を確実に行うことができる。このとき、剥離層１１がある部分とない部分の境界部に切り込みを設けるとより高い効果が得られる。
【００３６】
（接着層１２の場合）
一方剥離層の代わりに、図３のようにラベル基材６に接着層１２を部分的に設け、かつＯＶＤ層２にラベル基材からはがれる材料を用いてもよい。用いる材料としては、容易にラベル基材からはがれるものが使用され、基材に使用される材料に基づいて適宜選択される。
【００３７】
（ＯＶＤ層２）
ＯＶＤ層２は、たとえば、ラベル基材６に蒸着法によりアルミや金などの金属薄膜層を形成し、該金属薄膜層を加工して形成することができる。すなわち、金属薄膜層に、ホログラムや回折格子のような光の干渉縞を微細な凹凸パターンとして平面に記録するレリーフ型や体積方向に干渉縞を記録する体積型などを用いて加工することによりＯＶＤとなる。
【００３８】
（ＯＶＤ層の非導電性）
ＯＶＤ層２としては、アンテナ３の電波通信を阻害しないように、導電性を示さないことが必要である。従って、例えばアルミ蒸着膜でホログラムを作製した後に、エッチング法を用いて格子状に蒸着膜を切る方法がとられる。この場合、ホログラムの光学的機能を失わないように、１０μｍ以下のラインで切ることが好ましい。他にも、導電性を示さない方法であれば適宜使用できる。例えば、見る角度により色の変化（カラーシフト）を生じさせる方法として、光学特性の異なるセラミックスの薄膜を多層に積層して多層薄膜構造とさせる方法を用いることもできる。
【００３９】
（アンテナ３）
アンテナ３の形成方法としては、導電性ペーストを印刷によってパターン状に塗布して形成する方法などを用いることができる。該導電性ペーストの導電性材料としては、銀系が好ましい。例としては、バインダーとしての樹脂と溶剤と微細な銀粒子を含む銀ペーストなどがあげられる。
【００４０】
前記銀ペーストは、例えばスクリーン印刷、フレキソ印刷、グラビア印刷、オフセット印刷などの印刷方法で印刷してパターン形成することができる。その後、加熱して、溶剤を蒸発させることで塗膜が形成される。この塗膜に含まれる銀粒子間の接触により、導体としての機能を持つ。これによりアンテナを形成することができるが、本発明はこれに限定されるわけではない。
【００４１】
また、導電性のインクをインクジェットプリンタでプリントしてもよい。これにより、アンテナ３の厚みを薄く均一に形成でき、よりアンテナ３を破断しやすい構造とすることができる。さらに、ＲＦＩＤラベル全体の厚さをより薄く平滑とすることができる。
【００４２】
アンテナ３はＩＣチップ４の接続端子と接続される。接合部分は、ＡＣＰ（Anisotropic Conductive Paste：異方導電性ペースト）やＡＣＦ(Anisotropic Conductive Film：異方導電性フィルム)などのような異方性導電材料や、ＮＣＰ（Non-Conductive Paste）やＮＣＦ（Non-Conductive Film）などのような接合用の材料などを適宜選択してもちいることができる。また、超音波などにより、直接接合してもよい。
【００４３】
このようにして、図１に示すように、ＯＶＤ層２の上にアンテナ３を印刷することで、被着体からＲＦＩＤラベルを剥がそうとした際に、確実にアンテナ３まで断線、かつ後述する変形層の作用により大きく変形させることができ、ＲＦＩＤラベル１の破壊や剥離を試みようとした履歴を残すことが可能となる。このとき、剥がれたＯＶＤ層を再度貼り付
けて、元の状態を再現することは不可能であり、また被着体に残ったＩＣチップ、アンテナを綺麗に剥がすことも難しいため、ＲＦＩＤラベルを使いまわすことはできない。
【００４４】
（変形層１０）
アンテナ３と接着層７の間に設けられている変形層１０であるが、この層はラベルを被着体から剥がそうとすると伸び、その全面あるいは一部に変形が生じ、それに伴ってＯＶＤ層が変形するように設けられる層である。そのためこの変形層１０は他の層と較べて十分に変形することが望まれ、破断伸度１００％以上の柔軟性の高い高分子材料から形成されることが好ましい。一方で、剥がす際の力で切断されないような設計が必要であり、破断強度は他のそうの性能によるが、３０ＭＰａ以上のものが好ましい。
【００４５】
変形層１０の材料としては柔軟性の高い高分子樹脂が挙げられ、具体的には、天然ゴム、イソプレンゴム、スチレン−ブタジエンゴム、ブチルゴム等のゴム系樹脂や、ウレタン樹脂、ポリエステル樹脂、塩化ビニル−酢酸ビニル共重合体等により形成される。しかし、変形層１０の形成材料はこれらのものに限定されるものではなく、シート剥離時に加わる力により復元不可能な状態に変形する材料であれば、その他の公知の材料が使用可能である。また、この層は破断しにくくするために、その厚みを２〜５０μｍと厚くすることが好ましい。
【００４６】
接着層７の材料としては、アクリル系の熱接着剤、ホットメルト樹脂（例えば、ポリアミド、ウレタン、ＥＶＡ等）、あるいは粘着剤等などをもちいることができるが、本発明はこれに限定されるわけではない。また、接着層７の表面には、容易に剥離できるような離型シート８が仮粘着されている。
離型シートとしては、紙製又はプラスチック製のシートにシリコン樹脂などの離型剤層がコーティングなどによって積層されているセパレータを用いることができる。
【００４７】
（力の関係）
本発明によるＲＦＩＤラベルは、以上のような構成からなるが、各層間での強度の関係は以下のような条件になるように設計する必要がある。
（a）ラベル基材と剥離層部分の接着力＜接着層と被着体の接着力
（b）接着層と被着体の接着力＜各層間の接着力
（c）接着層と被着体の接着力＜ＯＶＤ層、隠蔽層、アンテナ、変形層、接着層の破断強度
（d）接着層を被着体から剥がす力＝接着力によりＯＶＤ層、隠蔽層、アンテナ、変形層、接着層が変形すること
以上のようにＲＦＩＤラベルの構成を設計することにより、ラベルを被着体から剥がした際に図１（b）のように各層が変形して復元不可能な状態することが可能となる。
【実施例】
【００４８】
次に、本発明の具体的な実施例について説明する。
【００４９】
＜実施例１＞
（ホログラム用のラベル基材の作製）
５０μｍの厚さのＰＥＴフィルムに、剥離層をグラビア法にて部分的に０．５μｍ塗布した。次に、ＯＶＤ層２をグラビア法にて５μｍ塗工し、ロールエンボス法でＯＶＤレリーフパターンを形成した後、真空蒸着法を用いて膜厚８０ｎｍのアルミニウム反射層を設けた。該ホログラム蒸着シートをアルカリエッチング法を用いて線幅１０μｍの格子状にパターニングし、ラベル基材にホログラムを形成した。
以下に各組成物の配合の割合を示す。また、「部」は、質量部を意味する。
〔剥離層〕
アクリル樹脂            ・・・１５部
メチルエチルケトン      ・・・６０部
トルエン                ・・・２５部
〔ＯＶＤ層〕
塩化ビニル−酢酸ビニル共重合体  ・・・１５部
ウレタン樹脂                    ・・・１０部
メチルエチルケトン              ・・・５０部
トルエン                        ・・・２５部
（隠蔽層の形成）
被着体と同色のエポキシ樹脂ベースのインキをラベル基材のＯＶＤであるホログラムの形成面側に、スクリーン印刷にて全面塗布し、乾燥を行って隠蔽層を設けた。
（ＲＦＩＤタグの形成）
前述のラベル基材の隠蔽層側に、エボキシ樹脂に銀粉を分散させた銀ペーストをスクリーン印刷（350メッシュ）にて印刷し、７０℃３分温風乾燥機にて乾燥を行って５μｍ厚みのアンテナを得た。このアンテナに０．４mm角のＩＣチップの２つの端子をＡＣＰ（異方導電性ペースト）により接合した。
（変形層・接着層の形成）
前述のラベル基材のアンテナ側に変形層１５μｍ設けた。次に、クラフト紙の片面にポリエチレンをラミネートし、その上にシリコン処理を施した離型シート（厚さ１１２μｍ）にアクリル系の粘着剤を２０μｍ塗布し、その上に変形層１５μｍを積層した。これを上記ＲＦＩＤラベル基材に転写することで接着層７を設け、光学機能付きＲＦＩＤラベルＡを作製した。
[変形層形成材料]
ウレタン樹脂（ 破断伸度１００％） …１５部
メチルエチルケトン                … ６０部
トルエン                          … ２０部
得られたＲＦＩＤラベルＡは、ＩＣリーダライタ装置で読み取りが可能であった。
【００５０】
＜実施例２＞
（ホログラム用のラベル基材の作製）
５０μｍの厚さのＰＥＴフィルムに、接着層１２をグラビア法にて部分的に０．５μｍ塗布した。次に、ＯＶＤ層２をグラビア法にて５μｍ塗工し、ロールエンボス法でＯＶＤレリーフパターンを形成した後、真空蒸着法を用いて膜厚８０ｎｍのアルミニウム反射層を設けた。該ホログラム蒸着シートをアルカリエッチング法を用いて線幅１０μｍの格子状にパターニングし、ラベル基材にホログラムを形成した。以下、実施例１と同様にして光学機能付きＲＦＩＤラベルＢを作製した。
〔接着層〕
ポリエステル樹脂            ・・・１５部
メチルエチルケトン      ・・・６０部
トルエン                ・・・２５部
〔ＯＶＤ層〕
アクリル樹脂                    ・・・１５部
ウレタン樹脂                    ・・・１０部
メチルエチルケトン              ・・・５０部
トルエン                        ・・・２５部
以下に、本発明の比較例について説明する。
【００５１】
＜比較例１＞
実施例１と同様に、ＲＦＩＤラベルＣを作製した。但し、剥離層はラベル基材上全面を覆うように設け、また変形層は設けなかった。
【００５２】
＜比較例２＞
実施例１と同様に、ＲＦＩＤラベルＤを作製した。但し、変形層は設けなかった。
【００５３】
このようにして作製したＲＦＩＤラベルＡ、ＢおよびＣ、Ｄを商品が内蔵されたボックスに貼り付けた。その後、このラベルを被着体から慎重に剥がした。
【００５４】
なお接着層７として、以下の表に示したアクリル系接着材料を用い、接着層と被着体との接着強度（単位、Ｎ）、ラベル基材と剥離ＯＶＤ層との接着強度（単位、Ｎ）を測定した。なお、ラベル基材と剥離ＯＶＤ層との接着強度は、実施例２の測定結果で、実施例１は、剥離層を部分的に形成したことから、さらに小さくなるので、省略した。
【００５５】
【表１】
0005664256.tif 000002
実施例１、２のＲＦＩＤラベルＡ、およびＢでは、被着体から剥がした際に、図１（ｂ）、および図３（ｂ）のように、パターン状にホログラムのアルミ蒸着膜が剥離すると同時にアンテナも破壊して通信機能を不可能にすることができた。その際、変形層が伸びて戻る力が作用することにより、ＯＶＤ画像が変形破壊するため、貼り替えによる再利用を目視で確認できた。また同時にアンテナも変形破壊するため、完全にＲＦＩＤラベルとしての非接触での情報の読み書きの機能を不可能にすることができた。またこれらＯＶＤ画像、およびアンテナの変形は復元不可能な状態であり、使い回すことも不可能であった。
【００５６】
それに対し、比較例１のＲＦＩＤラベルＣでは、被着体から剥がした際、ホログラムのアルミ蒸着膜・アンテナがラベル基材から全面綺麗に剥がれてしまった。またＲＦＩＤラベルとしての通信も可能であった。また、比較例２のＲＦＩＤラベルＤでは、被着体から剥がした際は、パターン状にホログラムのアルミ蒸着膜・アンテナが破壊するが、再度貼り合せると元に戻ってしまい、目視での判定は困難であった。またアンテナも綺麗に元のように接触させることにより、通信を復活させることができた。特に、破断部分を銀ペーストで補強することで通信は可能になった。
【符号の説明】
【００５７】
１    光学機能付きＲＦＩＤラベル
２    ＯＶＤ層
３    アンテナ
４    ＩＣチップ
６    ラベル基材
７    接着層
８    離型シート
９    隠蔽層
１０  変形層
１１  剥離層
１２  接着層
１３  被着体
【図１】
0005664256.tif 000003
【図２】
0005664256.tif 000004
【図３】
0005664256.tif 000005